(57)【要約】【課題】人が手Ｈで手摺りＡを握ったときに人差し指Ｆの基節（第２関節Ｊ２から第３関節Ｊ３までの間の部分）で違和感を感じることなくしっかりとを握ることができるようにする。【解決手段】人が掌を下側にして上側から握ったときに人差し指Ｆの第２関節Ｊ２から第３関節Ｊ３までの間の基節が接触する範囲の表面に断面平面状の平面部１を設ける。【選択図】図３
2008303600.tif 000002
【特許請求の範囲】
【請求項１】
人が掌を下側にして上側から握ったときに人差し指の第２関節から第３関節までの間の基節が接触する範囲の表面に、断面平面状の平面部が設けられていることを特徴とする手摺り。
【請求項２】
請求項１の手摺りにおいて、
平面部の幅方向両側縁部の角部が断面円弧状の面取り形状であることを特徴とする手摺り。
【発明の詳細な説明】
【技術分野】
【０００１】
本発明は階段、廊下、洗面所、トイレ、浴室等、建築物の屋内外で用いられる手摺りに関するものである。
【背景技術】
【０００２】
従来より、この種建築物の屋内外で用いられる手摺りとして、断面形状が円形状のものが一般に広く用いられている。そして、特に握り易さを考慮したものとして、例えば、特許文献１に示されるように、表面に筋状の凹凸を設けた手摺りが提案されている。この提案のものでは、筋状の凹凸を設けることで握り易くなり、滑り難い手摺りが得られる。
【特許文献１】特開平２００５−４２３４５号公報
【発明の開示】
【発明が解決しようとする課題】
【０００３】
ところで、人間が手摺りを握るとき、その手の構造上、親指と人差し指とで環を作るような形で、親指と人差し指とにカを入れて手摺りを握るようになっている。そのため、断面が円形状の手摺りでは、その曲面に、人差し指の第２関節から第３関節までの問の略真直ぐで曲がらない部分（基節）が当たるため、この人差し指の基節（第２関節から第３関節までの間の部分）で違和感を感じるのは避けられない難がある。
【０００４】
本発明は斯かる点に鑑みてなされたものであり、その目的は、手摺りの断面形状に工夫を加えることで、人が握ったときに人差し指の基節（第２関節から第３関節までの間の部分）で違和感を感じることなく、しっかりと手摺りを握ることができるようにすることにある。
【課題を解決するための手段】
【０００５】
上記の目的を達成するために、この発明では、手摺りの表面のうち人が握ったときに人差し指の基節に当たる部分を当該人差し指の基節の略真直ぐな形状に対応させて平面形状にするようにした。
【０００６】
具体的には、請求項１の発明の手摺りは、人が掌を下側にして上側から握ったときに人差し指の第２関節から第３関節までの間の基節が接触する範囲の表面に、断面平面状の平面部が設けられていることを特徴とする。
【０００７】
上記の構成によると、手摺り表面の、人差し指の第２関節から第３関節までの間の基節が概ね接触する範囲の断面が平面になっているため、従来の手摺りのように、人差し指の第２関節から第３関節までの間の基節が手摺りの曲面に当たって違和感を感じるようなことはなく、しっかりと手摺りを握ることができる。
【０００８】
請求項２の発明では、上記平面部の幅方向両側縁部の角部を断面円弧状の面取り形状とする。
【０００９】
この発明では、平面部の幅方向両側縁部の角部が面取り形状となっているため、その角部が掌に当たった際でも痛くなることはない。
【発明の効果】
【００１０】
以上説明したように、請求項１の発明の手摺りによると、人が掌を下側にして上側から握ったときに人差し指の第２関節から第３関節までの間の基節が接触する範囲の表面に断面平面状の平面部を設けたことにより、違和感を感じることなくしっかりと手摺りを握ることができる。
【００１１】
請求項２の発明によると、平面部の幅方向両側縁部の角部を断面円弧状の面取り形状としたことにより、その両側縁部の角部が掌に当たった際に痛くなることなく手摺りを握ることができる。
【発明を実施するための最良の形態】
【００１２】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００１３】
（実施形態１）
図１及び図２は本発明の実施形態１に係る手摺りＡを示す。この手摺りＡは、上下高さ（図１で上下方向の高さ）が例えば３５ｍｍである棒状のもので、その材質として集成材、合板、木質繊維板（ＩＢ、ＭＤＦ等）、木削片板（パーティクルボード、ストランドボード、ＯＳＢ等）、無垢材、その他の木質材料、プラスチック等の合成樹脂、アルミニウム等の金属、或いはこれら材料を任意に組み合わせた複合材等を用いることができる。しかし、手で触れた際に冷たく感じることを防ぐために、少なくとも手摺りＡの表面は木質材料や合成樹脂等、金属等に比べ熱伝導率の小さな材料を用いることが好ましい。また、木質材料を用いる場合、その中でも、長尺のものとしたときに反りの生じ難い集成材を用いることが望ましい。
【００１４】
さらに、必要に応じて、手摺りＡの表面に合成樹脂シート等の化粧材を貼着しておいてもよいし、着色塗装、柄模様印刷、クリア塗装等を施しておいてもよい。また、化粧材の貼着後にその表面に着色塗装やクリア塗装を施しておいてもよい。
【００１５】
また、手摺りＡの強度を増す目的で、手摺りＡの内部に鉄、ステンレス等の金属や、ＡＢＳ等の高強度の樹脂等からなる芯材を埋め込んでおくこともできる。
【００１６】
手摺りＡの表面には、滑り止め等の目的で、必要に応じてディンプル加工や溝加工を施しておくことができる。
【００１７】
本発明の特徴として、手摺りＡの表面には断面平面状の平面部１が形成されている。この平面部１は、直径が例えば３５ｍｍである断面円形状の丸棒体Ａ′（図１で波線にて示す）の表面の斜め上部を長さ方向全体に亘って平面状に切り欠いた形状のものであり、図３に示すように、手摺りＡ表面において、人が手Ｈでその掌を下側にして手摺りＡを上側から握った（掴んだ）ときに、その人差し指Ｆの第２関節Ｊ２から第３関節Ｊ３までの間の基節が概ね接触する範囲に設けられている（図３中、Ｊ１は人差し指Ｆの第１関節である）。また、上記平面部１の幅方向両側縁部の角部２，３が断面円弧状の面取り形状とされている。
【００１８】
この手摺りＡの取付構造は従来と同じであり、階段や廊下は勿論のこと、洗面所、トイレ、浴室等、建築物の屋内外の手摺りＡを必要とする場所に取り付けられる。例えば、図３は、手摺りＡを壁面Ｗに手摺り用ブラケット２０によって取り付ける取付構造を例示し、この手摺り用ブラケット２０は公知のもので、壁面Ｗに取り付けられる上下方向に延びる板状の基部２１と、下側に突出するように湾曲した断面円弧状の手摺り受け部２２と、一端（下端）が基部２１の側面に、また他端（上端）が手摺り受け部２２の下面にそれぞれ固定され、手摺り受け部２２を基部２１に連結するＬ字状のアーム部２３とを有し、基部２１及び手摺り受け部２２にはそれぞれ取付部材挿通孔２４，２４，…が形成されている。そして、基部２１の取付部材挿通孔２４にねじ等の取付部材２６を挿通して壁面Ｗに締結することで、該基部２１を壁面Ｗに取付固定する一方、手摺り受け部２２に手摺りＡを平面部１が壁面Ｗ側に位置するように下端部にて載置し、その取付部材挿通孔２４に下側からねじ等の取付部材２６を挿通して手摺りＡに螺合することで、該手摺り受け部２２を手摺りＡに取付固定するようになっている。
【００１９】
また、手摺りＡの取付高さや角度は、使用状況や使い易さに合わせて適宜調節して取り付けることができる。
【００２０】
したがって、この実施形態では、図３に示すように、使用者が壁面Ｗに取り付けられている手摺りＡを上側から握ったとき、その手摺りＡの表面において、使用者の手Ｈの人差し指Ｆの第２関節Ｊ２から第３関節Ｊ３までの間の基節が概ね接触する範囲に断面平面状の平面部１が形成されているため、その人差し指Ｆの第２関節Ｊ２から第３関節Ｊ３までの間の直線状の基節が平面部１に均等に沿うようになり、断面円形状の従来の手摺りのように、人差し指Ｆの第２関節Ｊ２から第３関節Ｊ３までの間の基節が手摺りの曲面に当たって違和感を感じるようなことはなく、その分、しっかりと手摺りＡを握ることができる。
【００２１】
また、手摺りＡ表面において、上記平面部１の幅方向両側縁部の角部２，３が断面円弧状の面取り形状となっているので、その角部２，３が掌に当たって痛くなることはない。
【００２２】
（実施形態２）
図４は本発明の実施形態２を示し（尚、以下の各実施形態では、図１〜図３と同じ部分については同じ符号を付してその詳細な説明を省略する）、手摺りＡの断面形状を変えたものである。
【００２３】
すなわち、この実施形態では、実施形態１と同様に、手摺りＡ表面の人差し指Ｆの第２関節Ｊ２から第３関節Ｊ３までの問の基節が概ね接触する範囲に平面部１が形成されている。それだけでなく、手摺りＡ表面の上端にも同様の上側平面部５が上記平面部１と隣接して形成され、さらに親指Ｔの根元が接触する部分は断面円形状の丸棒体Ａ′に対し外側に膨出していて、その膨出部分にも該膨出部分を断面平面状に切り欠いた同様の手前側平面部６が上側平面部５と隣接して形成されている。そして、これら平面部１，５，６の各々の幅方向両側縁部の角部２，３，７，８は断面円弧状の面取り形状となっている。その他の構成は実施形態１と同じである。
【００２４】
したがって、この実施形態でも実施形態１と同様の作用効果を奏することができる。また、親指Ｔの根元が接触する部分にも手前側平面部６が形成されているので、手摺りＡを握った際に親指Ｔの根元が手前側平面部６に沿って馴染むようになり、より一層違和感なく手摺りＡを掴むことができる。
【００２５】
（実施形態３）
図５は本発明の実施形態３を示し、手摺りＡの断面形状をさらに変えたものである。この実施形態では、手摺りＡの表面において、人が手Ｈで掌を下側にして上側から手摺りＡを握ったときに人差し指Ｆの第１関節Ｊ１から第２関節Ｊ２までの問の部分が概ね接触する範囲に奥側平面部１０が、また親指Ｔが接触する部分に凹み１１がそれぞれ設けられている。その他の構成は実施形態１と同じである。
【００２６】
したがって、この実施形態でも実施形態１と同様の作用効果を奏することができる。また、人差し指Ｆの第１関節Ｊ１から第２関節Ｊ２までの問の部分が概ね接触する範囲に奥側平面部１０が形成されているので、人差し指Ｆの第１関節Ｊ１から第２関節Ｊ２までの間の部分も平面部１０に均等に沿うようになるとともに、親指Ｔの根元が接触する部分に凹み１１が形成されているので、手摺りＡを握った際に親指Ｔが凹み１１にて引っ掛かるようになる。これらにより、より一層しっかりと手摺りＡを掴むことができる。
【００２７】
（実施形態４）
図６は本発明の実施形態４を示し、手摺りＡの断面形状をさらに変えたものである。この実施形態では、人が掌を下側にして上側から手摺りＡを握ったときに親指Ｔが接触する部分の上部に突起部１２が設けられており、この突起部１２を親指Ｔの引っ掛かり部分としている。また、実施形態２と同様に上側平面部５が形成されている。その他の構成は実施形態３と同じである。従って、この実施形態でも実施形態３と同様の作用効果が得られる。
【産業上の利用可能性】
【００２８】
本発明は、人が握ったときに人差し指の基節で違和感を感じることなくしっかりと手摺りを握ることができるので、極めて有用であり、産業上の利用可能性が高い。
【図面の簡単な説明】
【００２９】
【図１】図１は、本発明の実施形態１に係る手摺りを示す断面図である。
【図２】図２は、実施形態１の手摺りを示す斜視図である。
【図３】図３は、手摺りを壁面に取り付けた状態を示す図である。
【図４】図４は、本発明の実施形態２に係る手摺りを示す図１相当図である。
【図５】図５は、本発明の実施形態３に係る手摺りを示す図１相当図である。
【図６】図６は、本発明の実施形態４に係る手摺りを示す図１相当図である。
【符号の説明】
【００３０】
Ａ  手摺り
Ｆ  人差し指
Ｊ２  第２関節
Ｊ３  第３関節
１  平面部
２  角部
３  角部
【図１】
2008303600.tif 000003
【図２】
2008303600.tif 000004
【図３】
2008303600.tif 000005
【図４】
2008303600.tif 000006
【図５】
2008303600.tif 000007
【図６】
2008303600.tif 000008